(57)【要約】【課題】高精細度ＴＶ用の映像データを標準ＴＶ用のモニタ装置に表示する際に、副映像データの情報劣化が少ない映像再生装置を提供する。【解決手段】主映像デコーダ部５３が主映像データをデコードして主映像信号を出力し、第１の副映像デコーダ部５４２が高精細度ＴＶ用副映像データをデコードして高精細度ＴＶ用副映像信号を出力し、第２の副映像デコーダ部５４３が標準ＴＶ用副映像データをデコードして標準ＴＶ用副映像信号を出力し、セレクタ部５４６、５４７で主映像デコーダ部５４２が出力する主映像信号に第１の副映像デコーダ部５４３が出力する高精細度ＴＶ用副映像信号を重畳させるか、第２の副映像デコーダ部が出力する標準ＴＶ用副映像信号を重畳させるかを選択する。【選択図】      図２
2004304478.tif 000002
【特許請求の範囲】
【請求項１】
主映像データ、高精細度ＴＶ用副映像データ、標準ＴＶ用副映像データが記録された記録媒体から各データを読み出し、高精細度ＴＶモニタまたは標準ＴＶモニタに映像信号を出力する映像再生装置であって、
主映像データをデコードして主映像信号を出力する主映像デコーダ部と、
高精細度ＴＶ用副映像データをデコードして高精細度ＴＶ用副映像信号を出力する第１の副映像デコーダ部と、
標準ＴＶ用副映像データをデコードして標準ＴＶ用副映像信号を出力する第２の副映像デコーダ部と、
前記主映像デコーダ部が出力する主映像信号に前記第１の副映像デコーダ部が出力する高精細度ＴＶ用副映像信号を重畳させるか、前記第２の副映像デコーダ部が出力する標準ＴＶ用副映像信号を重畳させるかを選択するセレクタ部とを具備したことを特徴とする映像再生装置。
【請求項２】
高精細度ＴＶ用主映像データ、高精細度ＴＶ用副映像データ、標準ＴＶ用副映像データが記録された記録媒体から各データを読み出し、高精細度ＴＶモニタと標準ＴＶモニタとに映像信号を同時出力する映像再生装置であって、
高精細度ＴＶ用主映像データをデコードして高精細度ＴＶ用主映像信号を出力する主映像デコーダ部と、
この主映像デコーダ部がデコードした高精細度ＴＶ用主映像信号をダウンコンバートして標準ＴＶ用主映像信号を生成する第１のスケーラ部と、
高精細度ＴＶ用副映像データをデコードして高精細度ＴＶ用副映像信号を出力する副映像デコーダ部と、
この副映像デコーダ部がデコードした高精細度ＴＶ用副映像信号をダウンコンバートして標準ＴＶ用副映像信号を生成する第２のスケーラ部と、
前記主映像デコーダ部がデコードした高精細度ＴＶ用主映像信号と前記副映像デコーダ部がデコードした高精細度ＴＶ用副映像信号とをミキシングして出力する第１のミキシング部と、
前記第１のスケーラ部が生成した標準ＴＶ用主映像信号と前記第２のスケーラ部が生成した標準ＴＶ用副映像信号とをミキシングして出力する第２のミキシング部とを具備したことを特徴とする映像再生装置。
【請求項３】
高精細度ＴＶ用主映像データ、高精細度ＴＶ用副映像データ、標準ＴＶ用副映像データが記録された記録媒体から各データを読み出し、高精細度ＴＶモニタと標準ＴＶモニタとに映像信号を同時出力する映像再生装置であって、
高精細度ＴＶ用主映像データをデコードして高精細度ＴＶ用主映像信号を出力する主映像デコーダ部と、
この主映像デコーダ部がデコードした高精細度ＴＶ用主映像信号をダウンコンバートして標準ＴＶ用主映像信号を生成する第１のスケーラ部と、
標準ＴＶ用副映像データをデコードして標準ＴＶ用副映像信号を出力する副映像デコーダ部と、
この副映像デコーダ部がデコードした標準ＴＶ用副映像信号をアップコンバートして高精細度ＴＶ用副映像信号を生成する第２のスケーラ部と、
前記主映像デコーダ部がデコードした高精細度ＴＶ用主映像信号と前記第２のスケーラ部が生成した高精細度ＴＶ用副映像信号とをミキシングして出力する第１のミキシング部と、
前記第１のスケーラ部が生成した標準ＴＶ用主映像信号と前記副映像デコーダ部がデコードした標準ＴＶ用副映像信号とをミキシングして出力する第２のミキシング部とを具備したことを特徴とする映像再生装置。
【請求項４】
高精細度ＴＶ用主映像データ、高精細度ＴＶ用副映像データ、標準ＴＶ用副映像データが記録された記録媒体から各データを読み出し、高精細度ＴＶモニタと標準ＴＶモニタとに映像信号を同時出力する映像再生装置であって、
高精細度ＴＶ用主映像データをデコードして高精細度ＴＶ用主映像信号を出力する主映像デコーダ部と、
この主映像デコーダ部がデコードした高精細度ＴＶ用主映像信号をダウンコンバートして標準ＴＶ用主映像信号を生成する第１のスケーラ部と、
高精細度ＴＶ用副映像データをデコードして高精細度ＴＶ用副映像信号を出力する第１の副映像デコーダ部と、
標準ＴＶ用副映像データをデコードして標準ＴＶ用副映像信号を出力する第２の副映像デコーダ部と、
前記主映像デコーダ部がデコードした高精細度ＴＶ用主映像信号と前記第１の副映像デコーダ部がデコードした高精細度ＴＶ用副映像信号とをミキシングして出力する第１のミキシング部と、
前記第１のスケーラ部が生成した標準ＴＶ用主映像信号と前記第２の副映像デコーダ部がデコードした標準ＴＶ用副映像信号とをミキシングして出力する第２のミキシング部とを具備したことを特徴とする映像再生装置。
【請求項５】
高精細度ＴＶ用主映像データ、高精細度ＴＶ用副映像データ、標準ＴＶ用副映像データが記録された記録媒体から各データを読み出し、高精細度ＴＶモニタまたは標準ＴＶモニタのいずれか一方に映像信号を出力する映像再生装置であって、
高精細度ＴＶ用主映像データをデコードして高精細度ＴＶ用主映像信号を出力する主映像デコーダ部と、
この主映像デコーダ部がデコードした高精細度ＴＶ用主映像信号をダウンコンバートして標準ＴＶ用主映像信号を生成する第１のスケーラ部と、
高精細度ＴＶ用副映像データをデコードして高精細度ＴＶ用副映像信号を出力する第１の副映像デコーダ部と、
標準ＴＶ用副映像データをデコードして標準ＴＶ用副映像信号を出力する第２の副映像デコーダ部と、
前記主映像デコーダ部がデコードした高精細度ＴＶ用主映像信号と前記第１の副映像デコーダ部がデコードした高精細度ＴＶ用副映像信号とをミキシングして出力する第１のミキシング部と、
前記第１のスケーラ部が生成した標準ＴＶ用主映像信号と前記第２の副映像デコーダ部がデコードした標準ＴＶ用副映像信号とをミキシングして出力する第２のミキシング部と
前記第１のミキシング部の出力と前記第２のミキシング部の出力のうち、いずれか一方の出力を選択出力するセレクタ部とを具備したことを特徴とする映像再生装置。
【請求項６】
高精細度ＴＶモニタおよび標準ＴＶモニタに副映像信号をデコードしたデコーダ部の種類を表示させることを特徴とする請求項１乃至５記載の映像再生装置。
【発明の詳細な説明】
【０００１】
【発明の属する技術分野】
本発明は動画像または静止画像などの映像再生装置および映像再生方法に係り、特に主映像データと共に副映像データをモニタ装置に出力可能な映像再生装置に関する。
【０００２】
【従来の技術】
近年、記録媒体としてのＤＶＤ（Ｄｉｇｉｔａｌ  Ｖｅｒｓａｔｉｌｅ  Ｄｉｓｋ）に記録された映像情報を再生するＤＶＤプレーヤが広く用いられるようになってきた。ＤＶＤには主映像データ、副映像データ、オーディオデータがＭＰＥＧ２規格で定められたプログラムストリームの仕様に沿って多重化されて記録されており、ＤＶＤプレーヤはセパレータで多重化された各データを分離し、主映像データは主映像デコーダで、副映像データは副映像デコーダで、オーディオデータはオーディオデコーダでデコード処理してモニターおよびスピーカーに出力している（例えば、特許文献１参照。）。
【０００３】
この従来のＤＶＤおよびＤＶＤプレーヤは画素数７２０ドット×４８０ドット、フレーム周波数２９．９７Ｈｚ（インターレス）、または画素数７２０ドット×４８０ドット、フレーム周波数５９．９４Ｈｚ（プログレッシブ）の標準ＴＶ用コンテンツのみを扱っていたが、最近デジタルハイビジョンテレビと同等の画質である画素数１９２０ドット×１０８０ドット、フレーム周波数２９．９７Ｈｚ（インターレス）、または画素数１２８０ドット×７２０ドット、フレーム周波数５９．９４Ｈｚ（プログレッシブ）の高精細度ＴＶ用コンテンツを扱うＤＶＤおよびＤＶＤプレーヤも考えられている（例えば、特許文献２参照。）。
【０００４】
【特許文献１】
特開２００２−９１４０９公報（第３頁−第６頁、図１）
【特許文献２】
特開２００２−１７０３６１公報（第４頁−第７頁、図１）
【０００５】
【発明が解決しようとする課題】
上述した特許文献１および特許文献２に開示された技術にて、高精細度テレビ用に作られたコンテンツが記録されたＤＶＤの映像データを標準テレビに出力する際には、高精細度ＴＶ用の主映像データおよび副映像データをミキシングした後にダウンコンバート処理して標準ＴＶ用の映像データに変換することになる。
しかし、主映像データと副映像データとのミキシング後にダウンコンバート処理を行うと、テレビモニタに表示される主映像に比べ副映像の情報劣化が激しくなり、字幕などの文字情報が不鮮明になるという問題点があった。
【０００６】
本発明は上記問題点に鑑み、高精細度ＴＶ用の映像データを標準ＴＶ用のモニタ装置に表示する際に、副映像データの情報劣化が少ない映像再生装置を提供することを目的とする。
【０００７】
【課題を解決するための手段】
本発明の映像再生装置は、主映像データをデコードして主映像信号を出力する主映像デコーダ部と、高精細度ＴＶ用副映像データをデコードして高精細度ＴＶ用副映像信号を出力する第１の副映像デコーダ部と、標準ＴＶ用副映像データをデコードして標準ＴＶ用副映像信号を出力する第２の副映像デコーダ部と、主映像デコーダ部が出力する主映像信号に第１の副映像デコーダ部が出力する高精細度ＴＶ用副映像信号を重畳させるか、第２の副映像デコーダ部が出力する標準ＴＶ用副映像信号を重畳させるかを選択するセレクタ部とを備えている。
【０００８】
また、本発明の映像再生装置は、高精細度ＴＶ用主映像データをデコードして高精細度ＴＶ用主映像信号を出力する主映像デコーダ部と、この主映像デコーダ部がデコードした高精細度ＴＶ用主映像信号をダウンコンバートして標準ＴＶ用主映像信号を生成する第１のスケーラ部と、高精細度ＴＶ用副映像データをデコードして高精細度ＴＶ用副映像信号を出力する副映像デコーダ部と、この副映像デコーダ部がデコードした高精細度ＴＶ用副映像信号をダウンコンバートして標準ＴＶ用副映像信号を生成する第２のスケーラ部と、主映像デコーダ部がデコードした高精細度ＴＶ用主映像信号と副映像デコーダ部がデコードした高精細度ＴＶ用副映像信号とをミキシングして出力する第１のミキシング部と、第１のスケーラ部が生成した標準ＴＶ用主映像信号と第２のスケーラ部が生成した標準ＴＶ用副映像信号とをミキシングして出力する第２のミキシング部とを備えている。
【０００９】
また、本発明の映像再生装置は、高精細度ＴＶ用主映像データをデコードして高精細度ＴＶ用主映像信号を出力する主映像デコーダ部と、この主映像デコーダ部がデコードした高精細度ＴＶ用主映像信号をダウンコンバートして標準ＴＶ用主映像信号を生成する第１のスケーラ部と、標準ＴＶ用副映像データをデコードして標準ＴＶ用副映像信号を出力する副映像デコーダ部と、この副映像デコーダ部がデコードした標準ＴＶ用副映像信号をアップコンバートして高精細度ＴＶ用副映像信号を生成する第２のスケーラ部と、主映像デコーダ部がデコードした高精細度ＴＶ用主映像信号と第２のスケーラ部が生成した高精細度ＴＶ用副映像信号とをミキシングして出力する第１のミキシング部と、第１のスケーラ部が生成した標準ＴＶ用主映像信号と副映像デコーダ部がデコードした標準ＴＶ用副映像信号とをミキシングして出力する第２のミキシング部とを備えている。
【００１０】
また、本発明の映像再生装置は、高精細度ＴＶ用主映像データをデコードして高精細度ＴＶ用主映像信号を出力する主映像デコーダ部と、この主映像デコーダ部がデコードした高精細度ＴＶ用主映像信号をダウンコンバートして標準ＴＶ用主映像信号を生成する第１のスケーラ部と、高精細度ＴＶ用副映像データをデコードして高精細度ＴＶ用副映像信号を出力する第１の副映像デコーダ部と、標準ＴＶ用副映像データをデコードして標準ＴＶ用副映像信号を出力する第２の副映像デコーダ部と、主映像デコーダ部がデコードした高精細度ＴＶ用主映像信号と第１の副映像デコーダ部がデコードした高精細度ＴＶ用副映像信号とをミキシングして出力する第１のミキシング部と、第１のスケーラ部が生成した標準ＴＶ用主映像信号と第２の副映像デコーダ部がデコードした標準ＴＶ用副映像信号とをミキシングして出力する第２のミキシング部とを備えている。
【００１１】
また、本発明の映像再生装置は、高精細度ＴＶ用主映像データをデコードして高精細度ＴＶ用主映像信号を出力する主映像デコーダ部と、この主映像デコーダ部がデコードした高精細度ＴＶ用主映像信号をダウンコンバートして標準ＴＶ用主映像信号を生成する第１のスケーラ部と、高精細度ＴＶ用副映像データをデコードして高精細度ＴＶ用副映像信号を出力する第１の副映像デコーダ部と、標準ＴＶ用副映像データをデコードして標準ＴＶ用副映像信号を出力する第２の副映像デコーダ部と、主映像デコーダ部がデコードした高精細度ＴＶ用主映像信号と第１の副映像デコーダ部がデコードした高精細度ＴＶ用副映像信号とをミキシングして出力する第１のミキシング部と、第１のスケーラ部が生成した標準ＴＶ用主映像信号と第２の副映像デコーダ部がデコードした標準ＴＶ用副映像信号とをミキシングして出力する第２のミキシング部と、第１のミキシング部の出力と第２のミキシング部の出力のうちいずれか一方の出力を選択出力するセレクタ部とを備えている。
【００１２】
【発明の実施の形態】
以下、図面を参照して、本発明の実施形態に係わる映像再生装置を説明する。
図１は実施形態に係る映像再生装置であるＤＶＤプレーヤの構成を説明するためのブロック図である。
なお、本実施形態のＤＶＤプレーヤは、記録媒体であるＤＶＤ（Ｄｉｇｉｔａｌ  Ｖｅｒｓａｔｉｌｅ  Ｄｉｓｋ）から映像データを読み出し、画素数が１９２０ドット×１０８０ドットでフレーム周波数が２９．９７Ｈｚ（インターレス）、または画素数が１２８０ドット×７２０ドットでフレーム周波数５９．９４Ｈｚ（プログレッシブ）の高精細度ＴＶ用モニタに、または画素数が７２０ドット×４８０ドットでフレーム周波数２９．９７Ｈｚ（インターレス）、または画素数７２０ドット×４８０ドットでフレーム周波数５９．９４Ｈｚ（プログレッシブ）の標準ＴＶ用モニタに再生出力するものとする。
【００１３】
また、ＤＶＤには主映像データが高精細度ＴＶモニタ用フォーマットで記録されており、副映像データが高精細度ＴＶモニタ用フォーマットと標準ＴＶモニタ用フォーマットで記録されているものとする。
【００１４】
ＤＶＤプレーヤ１は、プレーヤ１全体の制御を司るメインプロセッサユニット（以下、ＭＰＵ部と称する）１０と、ＤＶＤプレーヤ１のコントロールパネル上に設けられたボタンまたはリモコン装置からなるキー入力部１３と、ＤＶＤプレーヤ１のコントロールパネル上に設けられた表示部１４と、主映像データが高精細度（以下、ＨＤと称する）ＴＶモニタ用フォーマットで記録されておりかつ副映像データがＨＤＴＶモニタ用フォーマットと標準（以下、ＳＤと称する）ＴＶモニタ用フォーマットとで記録されたＤＶＤ２０から記録データを読み出すディスクドライブ部３０と、ディスクドライブ部３０から読み出された記録データに復調処理およびエラー訂正処理を施すデータプロセッサ部４０と、データプロセッサ部４０から供給される記録データである映像ストリーム、オーディオデータをデコード処理して映像信号、オーディオ信号を出力するデコーダ部５０と、ビデオミキシング部６０と、ビデオミキシング部６０からのＨＤＴＶモニタ用映像信号をデジタル−アナログ変換するＤ／Ａコンバータ７１と、ビデオミキシング部６０からのＳＤＴＶモニタ用映像信号をデジタル−アナログ変換するＤ／Ａコンバータ７２と、デコーダ部５０からのオーディオ信号をデジタル−アナログ変換するＤ／Ａコンバータ７３と、Ｄ／Ａコンバータ７１の出力をＨＤＴＶモニタに出力するＨＤモニタ出力端子８１と、Ｄ／Ａコンバータ７２の出力をＳＤＴＶモニタに出力するＳＤモニタ出力端子８２と、Ｄ／Ａコンバータ７３の出力をスピーカに出力するスピーカ出力端子８３と、システムタイムカウンタ（以下、ＳＴＣと称する）部９０とから構成される。なお、ＭＰＵ部１０、ディスクドライブ部３０、データプロセッサ部４０、デコーダ部５０、ビデオミキシング部６０、ＳＴＣ部９０はそれぞれシステムバス９９で相互接続されている。
【００１５】
なお、ＨＤＴＶモニタまたはＳＤＴＶモニタがデジタルＴＶモニタの場合は、ビデオミキシング部６０からの映像データおよびデコーダ部５０からのオーディオデータはＤ／Ａコンバータ７１、７２、７３を介さずに各出力端子８１、８２、８３に出力される。
【００１６】
ＭＰＵ部１０は、ＤＶＤプレーヤ１を制御するための制御プログラムが格納されたＲＯＭ部１１およびプログラム実行に必要なワークエリアを提供するＲＡＭ部１２を有する。また、ＭＰＵ部１０はキー入力部１３から操作要求データを受ける。また、ＭＰＵ部１０は表示部１４に動作状態を表示する。
【００１７】
デコーダ部５０はデータプロセッサ部４０から供給された記録データを主映像データ、字幕などの副映像データ、オーディオデータに分離するプログラムストリームデコーダ部５１、プログラムストリームデコーダ部５１が分離処理を行う際のワークメモリとして用いられるメモリ部５２、プログラムストリームデコーダ部５１で分離された主映像データ／副映像データ／オーディオデータをそれぞれデコード（復元）処理する主映像デコーダ部５３、副映像デコーダ部５４、オーディオデコーダ部５５を有する。
【００１８】
主映像デコーダ部５３でデコードされた主映像信号、および副映像デコーダ部５４でデコードされた副映像信号はビデオミキシング部６０で重畳され、ＨＤＴＶモニタ用映像信号はＤ／Ａコンバータ７１を介してモニタ出力端子８１に、ＳＤＴＶモニタ用映像信号はＤ／Ａコンバータ７２を介してモニタ出力端子８２に出力される。また、デコーダ部５０のオーディオデコーダ部５５でデコードされたオーディオ信号はＤ／Ａコンバータ７３を介してスピーカ出力端子８３に出力される。
【００１９】
なお、ＭＰＵ部１０がディスクドライブ部３０、データプロセッサ部４０、デコーダ部５０等を制御するタイミングは、システムタイムカウンタ（以下、ＳＴＣと称する）部９０からの時間データに基づく。
【００２０】
図２はデコーダ部５０およびビデオミキシング部６０の詳細構成を説明するためのブロック図である。なお、図２において図１と同一部には同一符号を付し説明を省略する。
【００２１】
デコーダ部５０の主映像デコーダ部５３はＨＤＴＶモニタ用の主映像データである主映像ストリームをデコード処理し、ＨＤＴＶモニタ用主映像信号を出力する。また、デコーダ部５０の副映像デコーダ部５４はＨＤＴＶモニタ用の副映像データである副映像ストリームをデコード処理してＨＤＴＶモニタ用副映像信号を出力するＨＤ用デコーダ部５４２と、ＳＤＴＶモニタ用の副映像データである副映像ストリームをデコード処理してＳＤＴＶモニタ用副映像信号を出力するＳＤ用デコーダ部５４３とを有する。
【００２２】
また、デコーダ部５０は主映像デコーダ部５３から出力されるＨＤＴＶモニタ用主映像信号をＳＤＴＶモニタ用主映像信号にダウンコンバートするスケーラ部５３１、ＳＤ用デコーダ部５４３から出力されるＳＤＴＶモニタ用副映像信号をＨＤＴＶモニタ用副映像信号にアップコンバートするスケーラ部５４４、ＨＤ用デコーダ部５４２から出力されるＨＤＴＶモニタ用副映像信号をＳＤＴＶモニタ用副映像信号にダウンコンバートするスケーラ部５４５を有する。
【００２３】
また、デコーダ部５０はＨＤ用デコーダ部５４２から出力されるＨＤＴＶモニタ用副映像信号とスケーラ部５４４から出力される（アップコンバートされた）ＨＤＴＶモニタ用副映像信号のうち何れか一方を選択出力するセレクタ部５４６と、ＳＤ用デコーダ部５４３から出力されるＳＤＴＶモニタ用副映像信号とスケーラ部５４５から出力されるＳＤＴＶモニタ用副映像信号のうち何れか一方を選択出力するセレクタ部５４７とを有する。
【００２４】
セレクタ部５４６、５４７からの出力は、キー入力部１３を介したＤＶＤプレーヤ１のユーザからの選択指示に基づき、ＭＰＵ部１０がシステムバス９９を介して各セレクタ部５４６、５４７を制御することにより決定される。
【００２５】
なお、ＭＰＵ部１０が出力端子８１にＨＤＴＶモニタ用ケーブルが接続されたか、または出力端子８２にＳＤＴＶモニタ用ケーブルが接続されたかを検出することにより自動的に制御しても良い。
【００２６】
ビデオミキシング部６０は主映像デコーダ部５３から出力されるＨＤＴＶモニタ用主映像信号とセレクタ５４６から出力されるＨＤＴＶモニタ用副映像信号を重畳するミキシング部６１と、スケーラ部５３１から出力されるＳＤＴＶモニタ用主映像信号とセレクタ部５４７から出力されるＳＤＴＶモニタ用副映像信号を重畳するミキシング部６２と、モニタに表示される副映像がＨＤ用デコーダ部５４２の出力データかＳＤ用デコーダ部５４３の出力データかを示すＭＰＵ部１０からの情報をミキシング部６１、６２の出力に重畳するミキシング部６３、６４とを有する。
【００２７】
次に、本実施形態においてＨＤ用デコーダ部５４２で副映像信号を生成してＨＤＴＶモニタとＳＤＴＶモニタに映像信号を同時出力する際の動作を説明する。図３はＨＤ用デコーダ部５４２で副映像信号を生成してＨＤＴＶモニタとＳＤＴＶモニタに映像信号を同時出力する際のデコーダ部５０、ビデオミキシング部６０の動作を説明するための図である。
【００２８】
主映像デコーダ部５３はプログラムストリームデコーダ部５１から供給されるＨＤＴＶモニタ用の主映像ストリームをデコード処理し、デコード処理されたＨＤＴＶモニタ用主映像信号はスケーラ部５３１およびミキシング部６１に供給される。ＨＤ用デコーダ部５４２はプログラムストリームデコーダ部５１から供給されるＨＤＴＶモニタ用の副映像ストリームをデコード処理し、デコード処理したＨＤＴＶ用副映像信号をスケーラ部５４５およびセレクタ部５４６に供給する。
【００２９】
スケーラ部５３１は主映像デコーダ部５３から供給されるＨＤＴＶモニタ用主映像信号をＳＤＴＶモニタ用主映像信号にダウンコンバートし、ダウンコンバートしたＳＤＴＶモニタ用主映像信号をミキシング部６２に供給する。また、スケーラ部５４５はＨＤ用デコーダ部５４２から供給されるＨＤＴＶ用副映像信号をＳＤＴＶモニタ用副映像信号にダウンコンバートし、ダウンコンバートしたＳＤＴＶモニタ用副映像信号をセレクタ部５４７に供給する。
【００３０】
ＭＰＵ部１０はユーザからキー入力部１３を介して供給されるＨＤ用デコーダ部５４２で副映像信号を生成する旨の指示に基づき、セレクタ部５４６、５４７を制御する。セレクタ部５４６はＭＰＵ部１０からの指示に基づき、ＨＤ用デコーダ部５４２から供給されるＨＤＴＶ用副映像信号をミキシング部６１に選択出力する。また、セレクタ部５４７はＭＰＵ部１０からの指示に基づき、スケーラ部５４５から供給されるダウンコンバートされたＳＤＴＶ用副映像信号をミキシング部６２に選択出力する。
【００３１】
ビデオミキシング部６０のミキシング部６１は主映像デコーダ部５３から供給されるＨＤＴＶモニタ用主映像信号とセレクタ部５４６から供給されるＨＤＴＶモニタ用副映像信号をミキシング処理する。また、ミキシング部６２はスケーラ部５３１から供給されるダウンコンバートされたＳＤＴＶモニタ用主映像信号とセレクタ部５４７から供給されるダウンコンバートされたＳＤＴＶモニタ用副映像信号をミキシング処理する。
【００３２】
ミキシング部６３、６４は副映像がＨＤ用デコーダ部５４２でデコード処理されていることを示す状態表示データをＭＰＵ部１０から受け、この状態表示データをミキシング部６１からのＨＤＴＶモニタ用映像信号およびミキシング部６２からのＳＤＴＶモニタ用映像信号にミキシング処理し、それぞれＤ／Ａコンバータ７１、７２に供給する。
【００３３】
以上の動作により、ＨＤＴＶモニタ用映像信号がモニタ出力端子８１に、ダウンコンバートされたＳＤＴＶモニタ用映像信号がモニタ出力端子８２に供給され、ＨＤＴＶモニタおよびＳＤＴＶモニタへの同時表示が可能になる。この際、両モニタ上に副映像がＨＤ用デコーダ部５４２で処理されたものである旨の表示がされる。本動作においては、ＳＤＴＶモニタ用映像信号は主映像信号がスケーラ部５３１でダウンコンバートされ、副映像信号がスケーラ部５４５でダウンコンバートされた後にミキシング処理されるため、主映像信号および副映像信号それぞれに適したダウンコンバート処理を行うことができる。
【００３４】
次に、本実施形態においてＳＤ用デコーダ部５４３で副映像信号を生成してＨＤＴＶモニタとＳＤＴＶモニタに映像信号を同時出力する際の動作を説明する。
図４はＳＤ用デコーダ部５４３で副映像信号を生成してＨＤＴＶモニタとＳＤＴＶモニタに映像信号を同時出力する際のデコーダ部５０、ビデオミキシング部６０の動作を説明するための図である。
【００３５】
図３と同様に、主映像デコーダ部５３はプログラムストリームデコーダ部５１から供給されるＨＤＴＶモニタ用の主映像ストリームをデコード処理し、デコード処理されたＨＤＴＶモニタ用主映像信号はスケーラ部５３１およびミキシング部６１に供給される。また、スケーラ部５３１は主映像デコーダ部５３から供給されるＨＤＴＶモニタ用主映像信号をＳＤＴＶモニタ用主映像信号にダウンコンバートし、ダウンコンバートしたＳＤＴＶモニタ用主映像信号をミキシング部６２に供給する。
【００３６】
ＳＤ用デコーダ部５４３はプログラムストリームデコーダ部５１から供給されるＳＤＴＶモニタ用の副映像ストリームをデコード処理し、デコード処理したＳＤＴＶ用副映像信号をスケーラ部５４４およびセレクタ部５４７に供給する。スケーラ部５４４はＳＤ用デコーダ部５４３から供給されるＳＤＴＶ用副映像信号をＨＤＴＶモニタ用副映像信号にアップコンバートし、アップコンバートしたＨＤＴＶモニタ用副映像信号をセレクタ部５４６に供給する。
【００３７】
ＭＰＵ部１０はユーザからキー入力部１３を介して供給されるＳＤ用デコーダ部５４３で副映像信号を生成する旨の指示に基づき、セレクタ部５４６、５４７を制御する。セレクタ部５４７はＭＰＵ部１０からの指示に基づき、ＳＤ用デコーダ部５４３から供給されるＳＤＴＶ用副映像信号をミキシング部６２に選択出力する。また、セレクタ部５４６はＭＰＵ部１０からの指示に基づき、スケーラ部５４４から供給されるアップコンバートされたＨＤＴＶ用副映像信号をミキシング部６１に選択出力する。
【００３８】
ビデオミキシング部６０のミキシング部６１は主映像デコーダ部５３から供給されるＨＤＴＶモニタ用主映像信号とセレクタ部５４６から供給されるアップコンバートされたＨＤＴＶモニタ用副映像信号をミキシング処理する。また、ミキシング部６２はスケーラ部５３１から供給されるダウンコンバートされたＳＤＴＶモニタ用主映像信号とセレクタ部５４７から供給されるＳＤＴＶモニタ用副映像信号をミキシング処理する。
【００３９】
ミキシング部６３、６４は副映像がＳＤ用デコーダ部５４３でデコード処理されていることを示す状態表示データをＭＰＵ部１０から受け、この状態表示データをミキシング部６１からのＨＤＴＶモニタ用映像信号およびミキシング部６２からのＳＤＴＶモニタ用映像信号にミキシング処理し、それぞれＤ／Ａコンバータ７１、７２に供給する。
【００４０】
以上の動作により、ＨＤＴＶモニタ用映像信号がモニタ出力端子８１に、ダウンコンバートされたＳＤＴＶモニタ用映像信号がモニタ出力端子８２に供給され、ＨＤＴＶモニタおよびＳＤＴＶモニタへの同時表示が可能になる。この際、両モニタ上に副映像がＳＤ用デコーダ部５４３で処理されたものである旨の表示がされる。本動作においては、ＨＤＴＶモニタ用映像信号は副映像信号がスケーラ部５４４でアップコンバートされた後に主映像信号にミキシング処理されるため、高精細度ＴＶモニタに適した副映像信号のアップコンバート処理を行うことができる。
【００４１】
次に、本実施形態においてＨＤ用デコーダ部５４２およびＳＤ用デコーダ部５４３を同時動作させてそれぞれで副映像信号を生成してＨＤＴＶモニタとＳＤＴＶモニタに映像信号を同時出力する際の動作を説明する。
【００４２】
図５はＳＤ用デコーダ部５４３で副映像信号を生成してＨＤＴＶモニタとＳＤＴＶモニタに映像信号を同時出力する際のデコーダ部５０、ビデオミキシング部６０の動作を説明するための図である。
【００４３】
図３と同様に、主映像デコーダ部５３はプログラムストリームデコーダ部５１から供給されるＨＤＴＶモニタ用の主映像ストリームをデコード処理し、デコード処理されたＨＤＴＶモニタ用主映像信号はスケーラ部５３１およびミキシング部６１に供給される。また、スケーラ部５３１は主映像デコーダ部５３から供給されるＨＤＴＶモニタ用主映像信号をＳＤＴＶモニタ用主映像信号にダウンコンバートし、ダウンコンバートしたＳＤＴＶモニタ用主映像信号をミキシング部６２に供給する。
【００４４】
ＨＤ用デコーダ部５４２はプログラムストリームデコーダ部５１から供給されるＨＤＴＶモニタ用の副映像ストリームをデコード処理し、デコード処理したＨＤＴＶ用副映像信号をセレクタ部５４６に供給する。また、ＳＤ用デコーダ部５４３はプログラムストリームデコーダ部５１から供給されるＳＤＴＶモニタ用の副映像ストリームをデコード処理し、デコード処理したＳＤＴＶ用副映像信号をセレクタ部５４７に供給する。
【００４５】
ビデオミキシング部６０のミキシング部６１は主映像デコーダ部５３から供給されるＨＤＴＶモニタ用主映像信号とセレクタ部５４６から供給されるＨＤＴＶモニタ用副映像信号をミキシング処理する。また、ミキシング部６２はスケーラ部５３１から供給されるダウンコンバートされたＳＤＴＶモニタ用主映像信号とセレクタ部５４７から供給されるＳＤＴＶモニタ用副映像信号をミキシング処理する。
【００４６】
ＭＰＵ部１０はユーザからキー入力部１３を介して供給されるＨＤ用デコーダ部５４２およびＳＤ用デコーダ部５４３の両方で副映像信号を生成する旨の指示に基づき、セレクタ部５４６、５４７を制御する。セレクタ部５４６はＭＰＵ部１０からの指示に基づき、ＨＤ用デコーダ部５４２から供給されるＨＤＴＶ用副映像信号をミキシング部６１に選択出力する。また、セレクタ部５４７はＭＰＵ部１０からの指示に基づき、ＳＤ用デコーダ部５４３から供給されるＳＤＴＶ用副映像信号をミキシング部６２に選択出力する。
【００４７】
ミキシング部６３は副映像がＨＤ用デコーダ部５４２でデコード処理されていることを示す状態表示データをＭＰＵ部１０から受け、この状態表示データをミキシング部６１からのＨＤＴＶモニタ用映像信号にミキシング処理し、Ｄ／Ａコンバータ７１に供給する。また、ミキシング部６４は副映像がＳＤ用デコーダ部５４３でデコード処理されていることを示す状態表示データをＭＰＵ部１０から受け、この状態表示データをミキシング部６２からのＳＤＴＶモニタ用映像信号にミキシング処理し、Ｄ／Ａコンバータ７２に供給する。
【００４８】
以上の動作により、ＨＤＴＶモニタ用映像信号がモニタ出力端子８１に、ダウンコンバートされたＳＤＴＶモニタ用映像信号がモニタ出力端子８２に供給され、ＨＤＴＶモニタおよびＳＤＴＶモニタへの同時表示が可能になる。この際、ＨＤＴＶモニタには副映像がＨＤ用デコーダ部５４２で処理されたものである旨の表示が、またＳＤＴＶモニタには副映像がＳＤ用デコーダ部５４３で処理されたものである旨の表示がされる。本動作においては、ＨＤＴＶモニタ用映像信号にはＨＤ用デコーダ部５４２でデコード処理したＨＤＴＶ用副映像信号が、またＳＤＴＶモニタ用映像信号にはＳＤ用デコーダ部５４３でデコード処理したＳＤＴＶ用副映像信号がミキシング処理されるため、高精細度ＴＶモニタおよび標準ＴＶモニタそれぞれに適した副映像信号が出力できる。
【００４９】
次に、本発明の第２の実施形態について説明する。
図６は第２の実施形態に係る映像再生装置であるＤＶＤプレーヤの構成を説明するためのブロック図である。なお、図６において図１と同一部には同一符号を付し説明を省略する。
【００５０】
第１の実施形態においてはアナログ方式のＨＤＴＶモニタおよびＳＤＴＶモニタの両方に同時に映像信号を供給したが、第２の実施形態においてはデジタル方式のＨＤＴＶモニタとデジタル方式のＳＤＴＶモニタのいずれか一方に映像信号を供給する。すなわち、図６に示したビデオミキシング部１００からはモニタ出力用端子１０１のみに映像信号が供給される構成となっている。
【００５１】
図７は第２の実施形態におけるビデオミキシング部１００の構成を説明するためのブロック図である。なお、図７において図２と同一部には同一符号を付し説明を省略する。
【００５２】
ビデオミキシング部１００にはミキシング部６３からのＨＤＴＶモニタ用映像信号またはミキシング部６４からのＳＤＴＶモニタ用映像信号のいずれか一方を出力するセレクタ部６５が設けられる。なお、ビデオミキシング部１００のミキシング部６１には副映像デコーダ部５４のＨＤ用デコーダ部５４２からのＨＤＴＶ用副映像信号が直接供給される。また、ビデオミキシング部１００のミキシング部６２には副映像デコーダ部５４のＳＤ用デコーダ部５４３からのＳＤＴＶ用副映像信号が直接供給される。
【００５３】
ＭＰＵ部１０はユーザからキー入力部１３を介して供給されるＨＤＴＶモニタ選択またはＳＤモニタ選択指示に基づきセレクタ部６５を制御する。セレクタ部６５はＭＰＵ部１０からの指示に基づき、ミキシング部６３からのＨＤＴＶモニタ用映像信号またはミキシング部６４からのＳＤＴＶモニタ用映像信号のいずれか一方をモニタ出力端子８１に選択出力する。なお、セレクタ部６５は、ＭＰＵ部１０が出力端子８１にＨＤＴＶモニタ用ケーブルが接続されたか、または出力端子８２にＳＤＴＶモニタ用ケーブルが接続されたかを検出することにより自動的に制御されるように構成しても良い。
【００５４】
次に、第２の実施形態においてＨＤＴＶモニタに映像信号を出力する際の動作を説明する。
図８はＨＤＴＶモニタに映像信号を出力する際のデコーダ部５０、ビデオミキシング部１００の動作を説明するための図である。
第１の実施形態と同様に、主映像デコーダ部５３はプログラムストリームデコーダ部５１から供給されるＨＤＴＶモニタ用の主映像ストリームをデコード処理し、デコード処理されたＨＤＴＶモニタ用主映像信号はミキシング部６１に供給される。ＨＤ用デコーダ部５４２はプログラムストリームデコーダ部５１から供給されるＨＤＴＶモニタ用の副映像ストリームをデコード処理し、デコード処理したＨＤＴＶ用副映像信号をミキシング部６１に供給する。
【００５５】
ビデオミキシング部６０のミキシング部６１は主映像デコーダ部５３から供給されるＨＤＴＶモニタ用主映像信号とＨＤ用デコーダ部５４２から供給されるＨＤＴＶモニタ用副映像信号をミキシング処理する。ミキシング部６３は副映像がＨＤ用デコーダ部５４２でデコード処理されていることを示す状態表示データをＭＰＵ部１０から受け、この状態表示データをミキシング部６１からのＨＤＴＶモニタ用映像信号にミキシング処理し、セレクタ部６５に供給する。
【００５６】
セレクタ部６５はＭＰＵ部１０からの指示に基づき、ミキシング部６３からのＨＤＴＶモニタ用映像信号を選択し、出力端子８１に供給する。
以上の動作により、主映像信号とＨＤ用デコーダ部５４２でデコード処理された副映像信号がモニタ出力端子８１に供給される。その際、モニタ上に副映像がＨＤ用デコーダ部５４２で処理されたものである旨が表示される。
【００５７】
次に、第２の実施形態においてＳＤＴＶモニタに映像信号を出力する際の動作を説明する。
図９はＨＤＴＶモニタに映像信号を出力する際のデコーダ部５０、ビデオミキシング部１００の動作を説明するための図である。
第１の実施形態と同様に、主映像デコーダ部５３はプログラムストリームデコーダ部５１から供給されるＨＤＴＶモニタ用の主映像ストリームをデコード処理し、デコード処理されたＨＤＴＶモニタ用主映像信号はスケーラ部５３１に供給される。ＳＤ用デコーダ部５４３はプログラムストリームデコーダ部５１から供給されるＳＤＴＶモニタ用の副映像ストリームをデコード処理し、デコード処理したＳＤＴＶ用副映像信号をミキシング部６２に供給する。スケーラ部５３１は主映像デコーダ部５３から供給されるＨＤＴＶモニタ用主映像信号をＳＤＴＶモニタ用主映像信号にダウンコンバートし、ダウンコンバートしたＳＤＴＶモニタ用主映像信号をミキシング部６２に供給する。
【００５８】
ミキシング部６２はスケーラ部５３１から供給されるダウンコンバートされたＳＤＴＶモニタ用主映像信号とＳＤ用デコーダ部５４３から供給されるＳＤＴＶモニタ用副映像信号をミキシング処理する。ミキシング部６３は副映像がＳＤ用デコーダ部５４３でデコード処理されていることを示す状態表示データをＭＰＵ部１０から受け、この状態表示データをミキシング部６２からのＳＤＴＶモニタ用映像信号にミキシング処理し、セレクタ部６５に供給する。
【００５９】
セレクタ部６５はＭＰＵ部１０からの指示に基づき、ミキシング部６３からのＳＤＴＶモニタ用映像信号を選択し、出力端子８１に供給する。
以上の動作により、主映像信号とＳＤ用デコーダ部５４２でデコード処理された副映像信号がモニタ出力端子８１に供給される。その際、モニタ上に副映像がＳＤ用デコーダ部５４２で処理されたものである旨が表示される。
【００６０】
なお、本実施形態においては、副映像データをＨＤ用デコーダ５４２とＳＤ用デコーダ５４３のいずれでデコード処理されたかをモニタに表示させる構成としたが、ＤＶＤプレーヤ１の表示部１４に動作ステータス表示させても良い。
【００６１】
また、本実施形態においては、ＨＤコンテンツまたはＳＤコンテンツの記録媒体がＤＶＤであるとして説明したが、記録媒体は他の光ディスク媒体や磁気ディスクや半導体メモリであっても良い。
【００６２】
また、本発明で再生するコンテンツは動画像であっても静止画像であっても良い。
【００６３】
【発明の効果】
本発明によれば、高精細度ＴＶ用副映像データをデコード処理するデコーダと、標準ＴＶ用副映像データをデコード処理するデコーダとをそれぞれ設け、両デコーダを選択的に動作させて主映像信号に重畳することにより、高精細度ＴＶ用の映像データを標準ＴＶ用のモニタ装置に表示する際に、副映像データの情報劣化が少なくなる。
【図面の簡単な説明】
【図１】第１の実施形態のＤＶＤプレーヤの構成を説明するためのブロック図。
【図２】デコーダ部およびビデオミキシング部の詳細構成を説明するためのブロック図。
【図３】ＨＤ用デコーダ部で副映像信号を生成してＨＤＴＶモニタとＳＤＴＶモニタに映像信号を同時出力する際の動作を説明するための図。
【図４】ＳＤ用デコーダ部で副映像信号を生成してＨＤＴＶモニタとＳＤＴＶモニタに映像信号を同時出力する際の動作を説明するための図。
【図５】ＳＤ用デコーダ部で副映像信号を生成してＨＤＴＶモニタとＳＤＴＶモニタに映像信号を同時出力する際の動作を説明するための図。
【図６】第２の実施形態に係るＤＶＤプレーヤの構成を説明するためのブロック図。
【図７】第２の実施形態におけるビデオミキシング部の構成を説明するためのブロック図。
【図８】第２の実施形態においてＨＤＴＶモニタに映像信号を出力する際の動作を説明するための図。
【図９】第２の実施形態においてＳＤＴＶモニタに映像信号を出力する際の動作を説明するための図。
【符号の説明】
１    ＤＶＤプレーヤ
１０    ＭＰＵ部
１１    ＲＯＭ部
１２    ＲＡＭ部
１３    キー入力部
１４    表示部
２０    ＤＶＤ
３０    ディスクドライブ部
４０    データプロセッサ部
５０    デコーダ部
５１    プログラムストリームデコーダ部
５３    主映像デコーダ部
５４    副映像デコーダ部
５５    オーディオデコーダ部
６０    ビデオミキシング部
６５、５４６、５４７    セレクタ部
７１、７２、７３    Ｄ／Ａコンバータ
８１、７２、８３    出力端子
９０    ＳＴＣ部
９９    システムバス
５４２    ＨＤ用デコーダ部
５４３    ＳＤ用デコーダ部
５３１、５４４、５４５    スケーラ部
６１、６２、６３、６４    ミキシング部
【図１】
2004304478.tif 000003
【図２】
2004304478.tif 000004
【図３】
2004304478.tif 000005
【図４】
2004304478.tif 000006
【図５】
2004304478.tif 000007
【図６】
2004304478.tif 000008
【図７】
2004304478.tif 000009
【図８】
2004304478.tif 000010
【図９】
2004304478.tif 000011